(57)【特許請求の範囲】
【請求項１】
複数のディスプレイが配列されるマルチディスプレイシステムにおいて、
各ディスプレイは、画像を表示する表示面を有する表示部と、前記表示面とは反対側に設けられ、前記表示部を冷却する冷却部とを備え、
前記冷却部は、
ディスプレイ外の空間と連通する冷却路であって、ディスプレイ外の空間から空気を取り入れ、取り入れた空気を流過させることで、流過する空気によって周囲から熱を奪って、前記表示部を冷却する冷却路と、
所定の排気方向に延び、排気方向下流側端部および排気方向上流側端部に開口部が設けられる管状の排気路であって、前記冷却路と接続される接続開口部が設けられ、この接続開口部を介して前記冷却路と連通し、前記冷却路において周囲から熱を奪って昇温した空気を、排気方向下流側へと排気する排気路とを有し、
前記排気路は、断熱材料から形成され、
一のディスプレイと、この一のディスプレイの排気方向下流側において隣接する他のディスプレイとにおいて、他のディスプレイの排気路の排気方向上流側端部に設けられる開口部と、一のディスプレイの排気路の排気方向下流側端部に設けられる開口部とが接続され、この２つの開口部を介して互いの排気路が連通することを特徴とするマルチディスプレイシステム。
【請求項２】
前記冷却路は、ディスプレイの背面において、ディスプレイ外の空間と連通するように設けられる取入れ口部を有することを特徴とする請求項１に記載のマルチディスプレイシステム。
【請求項３】
前記冷却路における前記排気路との接続部分には、前記冷却路において周囲から熱を奪って昇温した空気を前記排気路へと誘導するためのファンが設けられることを特徴とする請求項１または２に記載のマルチディスプレイシステム。
【請求項４】
前記排気路の排気方向下流側端部には、前記冷却路において周囲から熱を奪って昇温した空気を排気方向下流側へと誘導するためのファンが設けられることを特徴とする請求項１〜３のいずれか１つに記載のマルチディスプレイシステム。
【請求項５】
前記排気路は、直管状であることを特徴とする請求項１〜４のいずれか１つに記載のマルチディスプレイシステム。
【請求項６】
請求項１〜５のいずれか１つに記載のマルチディスプレイシステムにおける前記ディスプレイとして機能するように構成されることを特徴とするディスプレイ。
【発明の詳細な説明】
【技術分野】
【０００１】
本発明は、マルチディスプレイシステムおよびディスプレイに関する。
【背景技術】
【０００２】
液晶ディスプレイ、プラズマディスプレイなどのディスプレイは、画像を表示する表示部と、表示部に画像を表示するための制御を行う制御部とを備えている。このようなディスプレイは、制御部による制御により表示部が発光することで表示部の表面に画像を表示するので、表示部の温度が上昇し易い。表示部の温度が上昇すると故障や画質劣化の原因になるので、一般的に、ディスプレイには表示部を冷却する機構が設けられる。
【０００３】
特許文献１には、ディスプレイの鉛直方向下部においてディスプレイ外の空間から空気を取り入れ、取り入れた空気を表示部の背面において鉛直方向上方に流過させることで、流過する空気によって周囲から熱を奪って表示部を冷却する機構が開示されている。このディスプレイでは、冷却に用いて昇温した空気は、ディスプレイの鉛直方向上部において、ディスプレイ外の空間に排気される。
【先行技術文献】
【特許文献】
【０００４】
【特許文献１】特開２００４−２８７４１３号公報
【発明の概要】
【発明が解決しようとする課題】
【０００５】
近年では、複数のディスプレイを配列して１つの大きなディスプレイとして機能させるマルチディスプレイシステムの利用が広まっている。このマルチディスプレイシステムでは、各ディスプレイが近接して配列されるので、各ディスプレイが効率良く冷却できる機構を備えていない場合、そのような機構を備えていないディスプレイだけではなく、近接する他のディスプレイ、特に上段に位置するディスプレイについても悪影響が及んでしまう。よって、マルチディスプレイシステムを構成する場合、各ディスプレイを効率良く冷却できる機構が必要である。
【０００６】
しかしながら、特許文献１に記載のディスプレイをマルチディスプレイシステムに適用した場合、一のディスプレイの鉛直方向上側に配置される他のディスプレイの冷却を充分に行うことができない。すなわち、特許文献１に記載のディスプレイをマルチディスプレイシステムに適用した場合、一のディスプレイの排気方向下流側に配置される他のディスプレイの冷却を充分に行うことができないという課題が生じる。なぜならば、一のディスプレイが冷却に用いて昇温した空気は、この一のディスプレイの排気方向下流側においてディスプレイ外の空間に排気されるので、この一のディスプレイの排気方向下流側に配置される他のディスプレイは、この昇温した空気をディスプレイ外の空間から取り入れることになってしまうからである。
【０００７】
本発明は、上述した課題を解決するためのものであり、一のディスプレイの排気方向下流側に配置される他のディスプレイを適切に冷却することができるマルチディスプレイシステムおよびディスプレイを提供することを目的とする。
【課題を解決するための手段】
【０００８】
本発明は、複数のディスプレイが配列されるマルチディスプレイシステムにおいて、
各ディスプレイは、画像を表示する表示面を有する表示部と、前記表示面とは反対側に設けられ、前記表示部を冷却する冷却部とを備え、
前記冷却部は、
ディスプレイ外の空間と連通する冷却路であって、ディスプレイ外の空間から空気を取り入れ、取り入れた空気を流過させることで、流過する空気によって周囲から熱を奪って、前記表示部を冷却する冷却路と、
所定の排気方向に延び、排気方向下流側端部および排気方向上流側端部に開口部が設けられる管状の排気路であって、前記冷却路と接続される接続開口部が設けられ、この接続開口部を介して前記冷却路と連通し、前記冷却路において周囲から熱を奪って昇温した空気を、排気方向下流側へと排気する排気路とを有し、
前記排気路は、断熱材料から形成され、
一のディスプレイと、この一のディスプレイの排気方向下流側において隣接する他のディスプレイとにおいて、他のディスプレイの排気路の排気方向上流側端部に設けられる開口部と、一のディスプレイの排気路の排気方向下流側端部に設けられる開口部とが接続され、この２つの開口部を介して互いの排気路が連通することを特徴とするマルチディスプレイシステムである。
また本発明は、前記冷却路は、ディスプレイの背面において、ディスプレイ外の空間と連通するように設けられる取入れ口部を有することを特徴とする。
【０００９】
また本発明は、前記冷却路における前記排気路との接続部分には、前記冷却路において周囲から熱を奪って昇温した空気を前記排気路へと誘導するためのファンが設けられることを特徴とする。
【００１０】
また本発明は、前記排気路の排気方向下流側端部には、前記冷却路において周囲から熱を奪って昇温した空気を排気方向下流側へと誘導するためのファンが設けられることを特徴とする。
また本発明は、前記排気路は、直管状であることを特徴とする。
【００１１】
また本発明は、前記マルチディスプレイシステムにおける前記ディスプレイとして機能するように構成されることを特徴とするディスプレイである。
【発明の効果】
【００１２】
本発明によれば、マルチディスプレイシステムにおいて、一のディスプレイが表示部の冷却に用いて昇温した空気は、この一のディスプレイの排気路から、この一のディスプレイの排気方向下流側に配置される他のディスプレイの排気路へ移動し、この他のディスプレイの排気路の排気方向下流側端部から排気される。したがって、他のディスプレイがディスプレイ外の空間から空気を取り入れて表示部を冷却するときに、一のディスプレイが冷却に用いた空気を取り入れることがないので、他のディスプレイを適切に冷却することができる。
【００１３】
また、排気路が断熱材料から形成されるので、表示部と排気路とを近接配置した場合であっても、排気路から表示部への熱移動が生じ難くなり、表示部を適切に冷却することができる。よって、最上段の排気路から排気を集中させることにより最終的な排気処理の自由度を向上することができる。
【００１４】
また本発明によれば、ファンによって冷却効率を上げることができる。
また本発明によれば、ファンによって排気効率を上げることができる。
また本発明によれば、排気路が直管状であるので、排気をスムーズに行うことができる。
【００１５】
また本発明によれば、各ディスプレイの冷却を適切に行うことができるマルチディスプレイシステムを構成することができる。
【図面の簡単な説明】
【００１６】
【図１】第１実施形態に係るマルチディスプレイシステム１の外観を模式的に示す図である。
【図２】ディスプレイ１０の外観を模式的に示す図である。
【図３】図２に示す線Ａ−Ａを切断面線とするディスプレイ１０の断面を模式的に示す図である。
【図４】図３に示す線Ｂ−Ｂを切断面線とするディスプレイ１０の断面を模式的に示す図である。
【図５】図４に示す線Ｃ−Ｃを切断面線とするディスプレイ１０の断面を模式的に示す図である。
【図６】排気路１２３の接続を説明するための図である。
【図７】剛性の高い断熱部材１２３３から構成される排気路１２３の接続を説明するための図である。
【図８】排気路１２３が接続されているマルチディスプレイシステム１の断面を模式的に示す図である。
【図９】外部ダクト２が接続されたマルチディスプレイシステム１を示す図である。
【図１０】第２実施形態に係るディスプレイ１０の断面を模式的に示す図である。
【図１１】第３実施形態に係るディスプレイ１０の断面を模式的に示す図である。
【発明を実施するための形態】
【００１７】
はじめに、本発明の第１実施形態を示す。図１は、第１実施形態に係るマルチディスプレイシステム１の外観を模式的に示す図である。矢符Ｘは鉛直方向上方から鉛直方向下方に向かう方向を示し、矢符Ｙは水平方向を示す。マルチディスプレイシステム１は、複数のディスプレイ１０を、鉛直方向および水平方向に近接配列して構成される。より詳細には、図１のマルチディスプレイシステム１は、複数のディスプレイ１０が、鉛直方向を行方向、水平方向を列方向として、３行２列に配列されている。各ディスプレイ１０は、後述する排気路１２３をそれぞれ備えており、各ディスプレイ１０において排気路１２３が延びる方向を排気方向とする。本実施形態では、マルチディスプレイシステム１を構成する各ディスプレイ１０は、同一に構成され、排気方向は同一とする。本実施形態では、各ディスプレイ１０の排気方向を、すべて、鉛直方向下方から鉛直方向上方へと向かう方向であるとするけれども、各ディスプレイ１０の排気方向は、それぞれ異なっていてもよいし、すべて水平方向であってもよい。各ディスプレイ１０は、図示しないマルチディスプレイシステム専用のスタンド装置やマルチディスプレイシステム１が設置される部屋の壁などに固定される。
【００１８】
図２は、ディスプレイ１０の外観を模式的に示す図である。図２（ａ）はディスプレイ１０の正面側を示し、図２（ｂ）はディスプレイ１０の背面側を示す。図３は、図２に示す線Ａ−Ａを切断面線とするディスプレイ１０の断面を模式的に示す図である。図３（ａ）では後述する排気路１２３を図示し、図３（ｂ）では後述する排気路１２３を図示していない。図４は、図３に示す線Ｂ−Ｂを切断面線とするディスプレイ１０の断面を模式的に示す図である。図５は、図４に示す線Ｃ−Ｃを切断面線とするディスプレイ１０の断面を模式的に示す図である。
【００１９】
ディスプレイ１０は、表示部１１と、冷却部１２と、制御部１３と、フレーム部１４とを含む。表示部１１は、液晶ディスプレイ、プラズマディスプレイなどが備える従来公知の表示部であり、発光することで表示面１１ａに画像を表示する。
【００２０】
フレーム部１４は、内部空間を有する箱状の部材であり、表示部１１がその箱の蓋となるように設置される。フレーム部１４の内部空間には、冷却部１２および制御部１３が設けられる。後述するように、フレーム部１４には、冷却部１２に対応する開口部１４ａ，１４ｂ，１４ｃが設けられる。
【００２１】
制御部１３は、表示部１１と電気的に接続され、制御部１３内の記憶回路に記憶されているデータに基づいて表示部１１を制御し、表示面１１ａに画像を表示させる。また、制御部１３は、後述する排気ファン１２２および排気ファン１２４の動作も制御する。
【００２２】
制御部１３は、たとえば、平板状の配線基板と、この配線基板の片面または両面に実装される電子回路とからなる。制御部１３はディスプレイ１０の背面側に設けられ、この制御部１３と、表示部１１の表示面１１ａとは反対側の面との間に、冷却部１２が設けられる。
【００２３】
冷却部１２は、冷却路１２１と、排気ファン１２２と、排気路１２３と、排気ファン１２４とを有する。冷却路１２１は、ディスプレイ１０外の空間と連通する取入口部１２１ａが設けられ、この取入口部１２１ａを介してディスプレイ１０外の空間から空気を取り入れ、取り入れた空気を流過させることで、流過する空気によって冷却路１２１の周囲から熱を奪って、周囲を冷却するダクトである。排気路１２３は、少なくとも鉛直方向に延び、鉛直方向上端部に開口部１２３ａが設けられ、鉛直方向下端部に開口部１２３ｂが設けられる管状部材であり、冷却路１２１と接続される接続開口部１２３ｃが設けられ、この接続開口部１２３ｃを介して冷却路１２１と連通し、冷却路１２１において周囲から熱を奪って昇温した空気を、鉛直方向上端部の開口部１２３ａから排気するトンネルである。
【００２４】
本実施形態では、排気路１２３を水平方向において挟むように、２つの冷却路１２１が設けられる。２つの冷却路１２１は、排気路１２３を中心として対称に設けられ、それぞれ、取入口部１２１ａと、通風部１２１ｂと、接続部１２１ｃとを有する。取入口部１２１ａ、通風部１２１ｂ、および接続部１２１ｃは、この順番で連なり、連続した空気の流路を形成する。
【００２５】
取入口部１２１ａ、通風部１２１ｂ、および接続部１２１ｃは、熱伝導率が高く、かつ、剛性が高い材料、たとえば、鉄、アルミニウムなどの金属材料から形成される。取入口部１２１ａ、通風部１２１ｂ、および接続部１２１ｃは、金属材料から形成される場合、１枚の板金を用いて、折り曲げ、ビス止め、スポット溶接などによって、一体的に形成されることが好ましい。
【００２６】
取入口部１２１ａは、水平方向に延び、ディスプレイ１０の背面において、ディスプレイ１０外の空間と連通する。取入口部１２１ａとディスプレイ１０外の空間とを連通させるために、フレーム部１４には、２つの取入口部１２１ａに臨む２つの開口部１４ａが設けられている。なお、各ディスプレイ１０は、マルチディスプレイシステム１として配列されるときに、ディスプレイ１０の背面がスタンド装置などに固定されるけれども、この２つの開口部１４ａは塞がれないように固定される。
【００２７】
接続部１２１ｃは、通風部１２１ｂと排気路１２３とを接続する部材であり、接続可能なように滑らかに湾曲して形成される。２つの接続部１２１ｃ内には、排気ファン１２２がそれぞれ設けられる。排気ファン１２２は、回転軸部材と回転軸部材に固定される羽根とを有し、回転軸部材が回転することで羽根によって流体を移動させる一般的なファンである。排気ファン１２２は、たとえば、表示部１１に画像が表示されるときに、制御部１３によって駆動される。排気ファン１２２が駆動されると、冷却路１２１内に気流が発生し、取入口部１２１ａを介して空気が取り入れられ、取り入れられた空気が通風部１２１ｂ内を流過する。
【００２８】
通風部１２１ｂは、鉛直方向に延びて形成される。通風部１２１ｂは、ディスプレイ１０の正面側において、表示部１１に接触する。また、通風部１２１ｂは、ディスプレイ１０の背面側において、熱伝導率が高い絶縁材料、たとえば、シリコングリス、シリコンシートなどを介して、制御部１３に接触する。上述したように、通風部１２１ｂを含む冷却路１２１全体は熱伝導率が高い材料から形成されるので、画像を表示することで昇温した表示部１１から通風部１２１ｂへ熱は移動する。また、制御部１３も制御の際にジュール熱を生じて昇温し、昇温した制御部１３から通風部１２１ｂへ熱は移動する。通風部１２１ｂに移動した熱は、通風部１２１ｂ内を流過する空気に奪われるので、流過する空気の温度が上昇する代わりに、通風部１２１ｂを含む冷却路１２１全体が冷却され、その結果、表示部１１および制御部１３が冷却される。
【００２９】
本実施形態では、排気路１２３は、鉛直方向上端部底面に開口部１２３ａが設けられ、鉛直方向下端部底面に開口部１２３ｂが設けられ、鉛直方向に延びる方形直管状部材である。なお、フレーム部１４には、開口部１２３ａに臨む開口部１４ｂと、開口部１２３ｂに臨む開口部１４ｃとが設けられている。また、排気路１２３は、鉛直方向上端部側面に接続開口部１２３ｃが設けられ、接続開口部１２３ｃにおいて冷却路１２１の接続部１２１ｃと接続される。
【００３０】
排気路１２３は、熱伝導率が低い、弾性変形可能な断熱材料または剛性の高い断熱材料から形成される。排気路１２３は、鉄やアルミニウム製の方形直管状部材の側面を、弾性変形可能な断熱材料もしくは剛性の高い断熱材料で被覆して構成されるか、または、剛性の高い断熱材料製の方形直管状部材から構成される。弾性変形可能な断熱材料としては、ウレタンフォーム、グラスウール、ロックウールなどが挙げられ、剛性の高い断熱材料としては、フェノールフォーム、硬質ウレタンフォームなどが挙げられる。なお、本発明の他の実施形態として、排気路１２３がフレーム部１４の内部空間の外に設けられる場合は、排気路１２３は断熱部材から形成されなくてもよい。
【００３１】
排気路１２３の開口径は、たとえば、１０ｃｍ〜２０ｃｍに設定される。ここで、排気路１２３が方形管状である場合は、排気路１２３の内部空間がなす方形の対角線の長さを開口径とする。排気路１２３が円形管状である場合は、排気路１２３の内部空間がなす円形の直径を開口径とする。
【００３２】
排気路１２３内において、冷却路１２１の接続部１２１ｃよりも鉛直方向上方に、排気ファン１２４が設けられる。排気ファン１２４は、排気ファン１２２と同様に、一般的なファンである。排気ファン１２４は、たとえば、表示部１１に画像が表示されるときに、制御部１３によって駆動される。排気ファン１２４が駆動されると、排気路１２３内に、鉛直方向下方から鉛直方向上方へと向かう気流が発生する。
【００３３】
このようなディスプレイ１０によってマルチディスプレイシステム１を構成するとき、鉛直方向上側のディスプレイ１０の排気路１２３の鉛直方向下端部に設けられる開口部１２３ｂと、このディスプレイ１０に隣接する鉛直方向下側のディスプレイ１０の排気路１２３の鉛直方向上端部に設けられる開口部１２３ａとが接続される。図６は、排気路１２３の接続を説明するための図である。図６に示す例では、排気路１２３は、鉄やアルミニウム製の方形直管状部材１２３１の側面を、弾性変形可能な断熱部材１２３２で被覆して構成されたものであるとする。
【００３４】
図６（ａ）は、排気路１２３の接続前の状態を一部拡大して示している。図６（ａ）に示すように、鉛直方向下側のディスプレイ１０の排気路１２３では、断熱部材１２３２が、方形直管状部材１２３１およびフレーム部１４の開口部１４ｂから鉛直方向上方に突出する方形直管状に形成されている。突出する距離は、たとえば、３ｃｍ〜１５ｃｍである。
【００３５】
また、図６（ａ）に示すように、鉛直方向上側のディスプレイ１０の排気路１２３では、断熱部材１２３２が、フレーム部１４の開口部１４ｃから鉛直方向上方に退避して形成されており、鉛直方向下側のディスプレイ１０のフレーム部１４の開口部１４ｂの開口径よりも、鉛直方向上側のディスプレイ１０のフレーム部１４の開口部１４ｃの開口径が大きく形成されている。退避する距離は、たとえば、３ｃｍ〜１５ｃｍである。
【００３６】
なお、上述したように、各ディスプレイ１０は同一に構成されるので、図６において図示されていないけれども、鉛直方向上側のディスプレイ１０の排気路１２３においても、断熱部材１２３２が、方形直管状部材１２３１およびフレーム部１４の開口部１４ｂから鉛直方向上方に突出する方形直管状に形成され、鉛直方向下側のディスプレイ１０の排気路１２３においても、断熱部材１２３２が、フレーム部１４の開口部１４ｃから鉛直方向上方に退避して形成される。また、ディスプレイ１０のフレーム部１４の開口部１４ｂの開口径よりも、ディスプレイ１０のフレーム部１４の開口部１４ｃの開口径が大きく形成される。
【００３７】
図６（ｂ）は、排気路１２３の接続後の状態を一部拡大して示している。図６（ｂ）に示すように、鉛直方向上側のディスプレイ１０の方形直管状部材１２３１と鉛直方向下側のディスプレイ１０の方形直管状部材１２３１とが接触する。そして、鉛直方向下側のディスプレイ１０の断熱部材１２３２は、鉛直方向上側のディスプレイ１０のフレーム部１４の開口部１４ｃを通り、断熱部材１２３２の開口径が広がるように弾性変形し、鉛直方向上側のディスプレイ１０の断熱部材１２３２を包み込む。これによって、鉛直方向上側のディスプレイ１０の方形直管状部材１２３１と鉛直方向下側のディスプレイ１０の方形直管状部材１２３１との接触部分において、空気の流出および流入が生じないように、２つの排気路１２３が接続される。したがって、図６に示す例では、スタンド装置以外の他の部材を用いずに、鉛直方向上側のディスプレイ１０の排気路１２３と鉛直方向下側のディスプレイ１０の排気路１２３とを、ディスプレイ１０外の空間と連通しないように、連通させることができる。
【００３８】
図６の例とは異なり、排気路１２３が、方形直管状部材１２３１の側面を、剛性の高い断熱部材１２３３で被覆して構成されている例についても説明する。図７は、剛性の高い断熱部材１２３３から構成される排気路１２３の接続を説明するための図である。
【００３９】
図７（ａ）は、排気路１２３の接続前の状態を一部拡大して示している。図７（ａ）に示すように、鉛直方向下側のディスプレイ１０の排気路１２３では、断熱部材１２３３が、方形直管状部材１２３１およびフレーム部１４の開口部１４ｂから鉛直方向上方に突出し、鉛直方向上端において開口径が断続的に広がる方形管状に形成されている。突出する距離は、たとえば、３ｃｍ〜１５ｃｍである。鉛直方向下側のディスプレイ１０の断熱部材１２３３の鉛直方向上端における開口径は、鉛直方向上側のディスプレイ１０の断熱部材１２３３の鉛直方向下端における外径と等しく形成される。ここで、断熱部材１２３３の外形状がなす方形の対角線を方形管状の断熱部材１２３３の外径とする。
【００４０】
また、図７（ａ）に示すように、鉛直方向上側のディスプレイ１０の排気路１２３では、断熱部材１２３３が、フレーム部１４の開口部１４ｃから鉛直方向上方に退避して形成されており、鉛直方向下側のディスプレイ１０のフレーム部１４の開口部１４ｂの開口径よりも、鉛直方向上側のディスプレイ１０のフレーム部１４の開口部１４ｃの開口径が大きく形成されている。退避する距離は、たとえば、３ｃｍ〜１５ｃｍである。
【００４１】
なお、上述したように、各ディスプレイ１０は同一に構成されるので、図７において図示されていないけれども、鉛直方向上側のディスプレイ１０の排気路１２３においても、断熱部材１２３３が、方形直管状部材１２３１およびフレーム部１４の開口部１４ｂから鉛直方向上方に突出し、鉛直方向上端部において開口径が断続的に広がる方形管状に形成され、鉛直方向下側のディスプレイ１０の排気路１２３においても、断熱部材１２３３が、フレーム部１４の開口部１４ｃから鉛直方向上方に退避して形成される。また、ディスプレイ１０の断熱部材１２３３の鉛直方向上端における開口径は、この断熱部材１２３３の鉛直方向下端における外径と等しく形成され、ディスプレイ１０のフレーム部１４の開口部１４ｂの開口径よりも、ディスプレイ１０のフレーム部１４の開口部１４ｃの開口径が大きく形成される。
【００４２】
図７（ｂ）は、排気路１２３の接続後の状態を一部拡大して示している。図７（ｂ）に示すように、鉛直方向上側のディスプレイ１０の方形直管状部材１２３１と鉛直方向下側のディスプレイ１０の方形直管状部材１２３１とが接触する。そして、鉛直方向下側のディスプレイ１０の断熱部材１２３３は、鉛直方向上側のディスプレイ１０のフレーム部１４の開口部１４ｃを通り、鉛直方向下側のディスプレイ１０の断熱部材１２３３の鉛直方向上端部と鉛直方向下側のディスプレイ１０の断熱部材１２３３の鉛直方向下端部とが係合する。これによって、鉛直方向上側のディスプレイ１０の方形直管状部材１２３１と鉛直方向下側のディスプレイ１０の方形直管状部材１２３１との接触部分において、空気の流出および流入が生じないように、２つの排気路１２３が接続される。したがって、図７に示す例でも、スタンド装置以外の他の部材を用いずに、鉛直方向上側のディスプレイ１０の排気路１２３と鉛直方向下側のディスプレイ１０の排気路１２３とを、ディスプレイ１０外の空間と連通しないように、連通させることができる。
【００４３】
図８に、排気路１２３が接続されているマルチディスプレイシステム１の断面を模式的に示す。図８では、３行２列のマルチディスプレイシステム１のうちの１列を示している。以下では、鉛直方向上方から１行目のディスプレイ１０をディスプレイ１０Ｐと称し、ディスプレイ１０Ｐを構成する各部材には参照符号の末尾にＰを付し、鉛直方向上方から２行目のディスプレイ１０をディスプレイ１０Ｑと称し、ディスプレイ１０Ｑを構成する各部材には参照符号の末尾にＱを付し、鉛直方向上方から３行目のディスプレイ１０をディスプレイ１０Ｒと称し、ディスプレイ１０Ｒを構成する各部材には参照符号の末尾にＲを付す。
【００４４】
図８に示すように、マルチディスプレイシステム１において、排気路１２３Ｐ、排気路１２３Ｑ、および排気路１２３Ｒは、鉛直方向に一気に連通している。よって、ディスプレイ１０Ｒが表示部１１Ｒおよび制御部１３Ｒの冷却に用いて昇温した空気は、排気路１２３Ｒからディスプレイ１０Ｑの排気路１２３Ｑへ移動し、さらに、排気路１２３Ｑからディスプレイ１０Ｐの排気路１２３Ｐへ移動して、この排気路１２３Ｐの鉛直方向上端部の開口部１２３ａＰから排気される。また、ディスプレイ１０Ｑが表示部１１Ｑおよび制御部１３Ｑの冷却に用いて昇温した空気は、排気路１２３Ｑからディスプレイ１０Ｐの排気路１２３Ｐへ移動して、この排気路１２３Ｐの鉛直方向上端部の開口部１２３ａＰから排気される。また、ディスプレイ１０Ｐが表示部１１Ｐおよび制御部１３Ｐの冷却に用いて昇温した空気は、排気路１２３Ｐの鉛直方向上端部の開口部１２３ａＰから排気される。
【００４５】
したがって、各ディスプレイ１０の冷却に用いられて昇温した空気は、排気路１２３Ｐの鉛直方向上端部の開口部１２３ａＰ、すなわち、マルチディスプレイシステム１の鉛直方向上端部からのみ排気されることになる。これにより、ディスプレイ１０Ｑが外の空間から空気を取り入れて表示部１１Ｑおよび制御部１３Ｑを冷却するときに、ディスプレイ１０Ｒが冷却に用いた空気を取り入れることがなくなる。また、ディスプレイ１０Ｐが外の空間から空気を取り入れて表示部１１Ｐおよび制御部１３Ｐを冷却するときに、ディスプレイ１０Ｑ，１０Ｒが冷却に用いた空気を取り入れることがなくなる。その結果、各ディスプレイ１０は、それぞれ、表示部１１および制御部１３を適切に冷却することができる。
【００４６】
また本実施形態では、排気路１２３が断熱材料から形成されるので、フレーム部１４の内部空間において、表示部１１と排気路１２３とを近接配置した場合であっても、排気路１２３から表示部１１への熱移動が生じ難くなり、表示部１１を適切に冷却することができる。よって、排気路１２３の配置の自由度を向上することができる。なお、排気路１２３をフレーム部１４の内部空間の外、たとえば、ディスプレイ１０の背面側の外の空間に配置することも可能である。このような形態では、ディスプレイ１０の背面側により大きな設置スペースが必要となってしまう代わりに、排気路１２３を断熱部材で構成する必要がなくなる。ただし、この形態のマルチディスプレイシステム１を部屋内に設置する場合は、外の空間に配置される排気路１２３によって部屋内の温度が上昇してしまうのを防ぐために、排気路１２３を断熱部材で構成する方が好ましい。
【００４７】
また本実施形態では、冷却路１２１の接続部１２１ｃ内に排気ファン１２２が設けられるので、排気ファン１２２によって冷却効率を上げることができる。また、排気路１２３内の鉛直方向上端部に排気ファン１２４が設けられるので、排気ファン１２４によって排気効率を上げることができる。なお、排気ファン１２２および排気ファン１２４が設けられない場合であっても、冷却路１２１内の空気は昇温して上昇し排気路１２３へと移動して気流が生じるので、冷却路１２１の取入口部１２１ａにおいて新たな空気を取り入れることは可能である。したがって、本発明の他の実施形態としては、排気ファン１２２および排気ファン１２４が設けられなくてもよく、また、たとえば、取入口部１２１ａ内にのみファンを設けてもよい。
【００４８】
また本実施形態では、フレーム部１４の内部空間に配置される冷却路１２１内に排気ファン１２２が設けられ、フレーム部１４の内部空間に配置される排気路１２３内に排気ファン１２４が設けられる。したがって、排気ファン１２２および排気ファン１２４が、それぞれ２つの部材によって囲まれているので、排気ファン１２２および排気ファン１２４の駆動によって生じる音を静音化することができる。
【００４９】
また本実施形態では、排気路１２３は方形直管状部材である。したがって、排気をスムーズに行うことができる。なお、方形直管状部材の代わりに、円形直管状部材としてもよい。
【００５０】
図８に示すマルチディスプレイシステム１を部屋内に設置する場合、マルチディスプレイシステム１は、ディスプレイ１０からの排気を部屋外へ案内する外部ダクト２を含んで構成されることが好ましい。図９に、外部ダクト２が接続されたマルチディスプレイシステム１を示す。図９に示すように、外部ダクト２は、ディスプレイ１０の排気路１２３Ｐの鉛直方向上端部の開口部１２３ａＰに接続され、部屋外まで昇温した空気を案内する。したがって、マルチディスプレイシステム１からの排気によって部屋内の温度が上昇することを抑えることができる。なお、外部ダクト２は、断熱材料から形成されることが好ましい。また、外部ダクト２内に、部屋外に向かう気流を発生させるファンを設けることが好ましい。
【００５１】
次に、本発明の第２実施形態を示す。図１０は、第２実施形態に係るディスプレイ１０の断面を模式的に示す図である。図１０に示す断面は、図４に示す断面に対応する。第２実施形態が第１実施形態と異なる点は、ディスプレイ１０に、排気ファン１２４を備える排気路１２３が２つ設けられる点である。２つの排気路１２３は、２つの冷却路１２１にそれぞれ接続される。したがって、図１０の紙面において左側の冷却路１２１において表示部１１および制御部１３の冷却に用いられて昇温した空気は、左側の排気ファン１２２によって左側の排気路１２３へ移動し、左側の排気路１２３内の排気ファン１２４によって鉛直方向上方に排気される。また、図１０の紙面において右側の冷却路１２１において表示部１１および制御部１３の冷却に用いられて昇温した空気は、右側の排気ファン１２２によって右側の排気路１２３へ移動し、右側の排気路１２３内の排気ファン１２４によって鉛直方向上方に排気される。
【００５２】
このような第２実施形態では、排気ファン１２４の設けられる数が、排気ファン１２２の設けられる数に対応している。したがって、排気ファン１２４が発生させる気流の流速が、排気ファン１２２が発生させる気流の流速と同程度であっても、排気路１２３内で空気が滞留することがないので、排気ファン１２４を高速で駆動する必要がなく、排気ファン１２４の駆動によって生じる音が大きくなるのを抑えることができる。なお、たとえば、排気ファン１２４の設けられる数が１つであり、排気ファン１２２の設けられる数が５つである場合、排気路１２３内で空気が滞留するのを防ぐためには、排気ファン１２４が発生させる気流の流速が、各排気ファン１２２が発生させる気流の流速の５倍となるように、排気ファン１２４を駆動する必要がある。よって、排気路１２３内で空気が滞留するのを防ぐためには、排気ファン１２４をより高速で駆動させる必要があり、その結果、排気ファン１２４の駆動によって生じる音が大きくなってしまう。
【００５３】
なお、図１０に示すように、ディスプレイ１０において２つの排気路１２３に挟まれる部分には、冷却路１２１が設けられていない。したがって、第２実施形態では、この部分において表示部１１および制御部１３を冷却することができない。そこで、第２実施形態の変形例として、この部分に、左側または右側のいずれかの排気路１２３に接続される冷却路１２１を設けてもよい。
【００５４】
次に、本発明の第３実施形態を示す。図１１は、第３実施形態に係るディスプレイ１０の断面を模式的に示す図である。図１１に示す断面は、図５に示す断面に対応する。第３実施形態が第１実施形態と異なる点は、ディスプレイ１０に、排気ファン１２４を備える排気路１２３が２つ設けられ、２つの排気路１２３を取り囲むように１つの冷却路１２１が設けられる点である。この冷却路１２１は、２つの取入口部１２１ａと、２つの接続部１２１ｃと、２つの取入口部１２１ａおよび２つの接続部１２１ｃが接続され、制御部１３全体に面する１つの通風部１２１ｂとを有している。２つの取入口部１２１ａを介して取り入れられた空気は、２つの接続部１２１ｃがそれぞれ備える排気ファン１２２によって、１つの通風部１２１ｂ内を鉛直方向上方に移動する。そして、図１１の紙面において左側の接続部１２１ｃ内の空気は、左側の排気路１２３内に移動し、左側の排気ファン１２４によって鉛直方向上方に排気され、右側の接続部１２１ｃ内の空気は、右側の排気路１２３内に移動し、右側の排気ファン１２４によって鉛直方向上方に排気される。
【００５５】
このような第３実施形態では、表示部１１および制御部１３における、２つの排気路１２３によって挟まれる空間に対向する部分を、１つの通風部１２１ｂによって冷却することができる。なお、図１１に示す第３実施形態における冷却効率を高めるために、第３実施形態の変形例として、左側の排気路１２３の右側に、この左側の排気路１２３に接続され、排気ファン１２２を備える接続部１２１ｃを設けてもよく、さらに、右側の排気路１２３の左側に、この右側の排気路１２３に接続され、排気ファン１２２を備える接続部１２１ｃを設けてもよい。
【符号の説明】
【００５６】
１  マルチディスプレイシステム
２  外部ダクト
１０  ディスプレイ
１１  表示部
１２  冷却部
１３  制御部
１４  フレーム部
１２１  冷却路
１２１ａ  取入口部
１２１ｂ  通風部
１２１ｃ  接続部
１２２  排気ファン
１２３  排気路
１２４  排気ファン
【図１】
0005703071.tif 000002
【図２】
0005703071.tif 000003
【図３】
0005703071.tif 000004
【図４】
0005703071.tif 000005
【図５】
0005703071.tif 000006
【図６】
0005703071.tif 000007
【図７】
0005703071.tif 000008
【図８】
0005703071.tif 000009
【図９】
0005703071.tif 000010
【図１０】
0005703071.tif 000011
【図１１】
0005703071.tif 000012